(57)【要約】【課題】暖房ユニットから引き出される水配管の露出量を少なくする。【解決手段】暖房ユニット２は、ヒートポンプユニット１と壁１１０との間に配置されており、ヒートポンプユニット１の背面６１において、側板５３ａに取り付けられている。ヒートポンプユニット１の背面６１には空気を吸い込む吸込口が設けられ、ヒートポンプユニット１の前面には空気を吹き込む吹込口が設けられている。ヒートポンプユニット１の前面と背面６１とは、室外ファンに対して互いに反対側に配置されている。【選択図】図３
2012172859.tif 000002
【特許請求の範囲】
【請求項１】
ヒートポンプユニットと、
前記ヒートポンプユニットに接続され且つ暖房端末に供給される温調水の温度を調整する暖房ユニットとを備え、
前記暖房ユニットが、前記ヒートポンプユニットの背面側に設けられることを特徴とする室外機。
【請求項２】
室外ファンを有するヒートポンプユニットと、
前記ヒートポンプユニットに接続され且つ暖房端末に供給される温調水の温度を調整する暖房ユニットとを備え、
前記ヒートポンプユニットが、
前記室外ファンによって形成される空気流を吹き出す吹出口が設けられた吹き出し面と、
前記室外ファンに対して前記吹き出し面と反対側に配置され、前記室外ファンに供給される空気を吸い込む吸込口が設けられた吸い込み面とを有しており、
前記暖房ユニットが、前記ヒートポンプユニットの前記吸い込み面に設けられることを特徴とする室外機。
【請求項３】
前記ヒートポンプユニットの側部には、前記暖房ユニットに向かう冷媒配管が接続される冷媒配管接続部が設けられており、
前記暖房ユニットは、前記冷媒配管接続部の近傍に設けられることを特徴とする請求項１又は２に記載の室外機。
【請求項４】
前記暖房ユニットは、空気を吸い込む吸込口を覆わないように前記ヒートポンプユニットに取り付けられることを特徴とする請求項１〜３のいずれか１項に記載の室外機。
【請求項５】
前記ヒートポンプユニットは、仕切板によって機械室と空気室とに仕切られたケーシングを有しており、
前記機械室には、圧縮機が設けられ、
前記空気室には、室外ファンが設けられており、
前記暖房ユニットは、前記ケーシングの前記機械室に対向した部分に取り付けられることを特徴とする請求項１〜３のいずれか１項に記載の室外機。
【請求項６】
前記暖房ユニットは、
温調水を貯留するタンクと、前記ヒートポンプユニットから供給された冷媒で温調水を加熱するための水熱交換器と、温調水を暖房端末に供給するための循環ポンプとを、上下方向に並んだ状態で有していることを特徴とする請求項１〜５のいずれか１項に記載の室外機。
【請求項７】
前記暖房ユニットは、
前記タンクと、前記水熱交換器と、前記循環ポンプとを、上から順に並んだ状態で有していることを特徴とする請求項６に記載の室外機。
【発明の詳細な説明】
【技術分野】
【０００１】
本発明は、ヒートポンプユニットと暖房ユニットとを備えた室外機に関する。
【背景技術】
【０００２】
従来から、ヒートポンプユニットと、ヒートポンプユニットに冷媒配管を介して接続される暖房ユニットとを備えた室外機が知られている。特許文献１に記載のように、暖房ユニットは、ヒートポンプユニット上に配置され、壁を貫通した水配管を介して屋内の床面に設置された床暖房パネルに接続されることが一般的である。
【先行技術文献】
【特許文献】
【０００３】
【特許文献１】特開２００１−３３６７８７号公報
【発明の概要】
【発明が解決しようとする課題】
【０００４】
しかしながら、水配管は住宅の基礎部分（高さが低い位置）に設けられた壁穴を貫通することが多く、暖房ユニットがヒートポンプユニット上に配置される場合、水配管の露出量が多く、見栄えが良くない。
【０００５】
そこで、本発明は、暖房ユニットと壁との間における水配管の露出量を少なくできる室外機を提供することを目的とする。
【課題を解決するための手段】
【０００６】
第１の発明に係る室外機は、ヒートポンプユニットと、前記ヒートポンプユニットに接続され且つ暖房端末に供給される温調水の温度を調整する暖房ユニットとを備え、前記暖房ユニットが、前記ヒートポンプユニットの背面側に設けられる。
【０００７】
この室外機では、ヒートポンプユニットが壁に対向するように配置される場合、ヒートポンプユニットにおいて、壁側に配置される背面側に暖房ユニットが設けられる。これにより、暖房ユニットがヒートポンプユニットと壁との間に配置されることから、暖房ユニットがヒートポンプユニットで隠れるとともに、ヒートポンプユニットの後方を通過した水配管がヒートポンプユニットで隠れる。したがって、見栄えが良い。また、壁においてヒートポンプユニットの後方を通過した水配管が暖房ユニットの水配管接続部に接続されることから、暖房ユニットと壁との間における水配管の露出量を少なくできる。よって、見栄えがさらに良い。
【０００８】
第２の発明に係る室外機は、室外ファンを有するヒートポンプユニットと、前記ヒートポンプユニットに接続され且つ暖房端末に供給される温調水の温度を調整する暖房ユニットとを備え、前記ヒートポンプユニットが、前記室外ファンによって形成される空気流を吹き出す吹出口が設けられた吹き出し面と、前記室外ファンに対して前記吹き出し面と反対側に配置され、前記室外ファンに供給される空気を吸い込む吸込口が設けられた吸い込み面とを有しており、前記暖房ユニットが、前記ヒートポンプユニットの前記吸い込み面に設けられる。
【０００９】
この室外機では、ヒートポンプユニットが壁に対向するように配置される場合、ヒートポンプユニットは、室外ファンに対して吹き出し面と反対側に配置された吸い込み面が壁に対向するように配置され、暖房ユニットがヒートポンプユニットにおいて壁に対向する吸い込み面に設けられる。これにより、暖房ユニットがヒートポンプユニットと壁との間に配置されることから、暖房ユニットがヒートポンプユニットで隠れるとともに、ヒートポンプユニットの後方を通過した水配管がヒートポンプユニットで隠れる。したがって、見栄えが良い。また、暖房ユニットがヒートポンプユニットの上方に配置される形態と比較して、暖房ユニットと壁面との距離が短いため、暖房ユニットと壁面との間における水配管の露出量を少なくすることができる。よって、見栄えがさらに良くなる。
【００１０】
第３の発明に係る室外機は、第１又は第２の発明に係る室外機において、前記ヒートポンプユニットの側部には、前記暖房ユニットに向かう冷媒配管が接続される冷媒配管接続部が設けられており、前記暖房ユニットは、前記冷媒配管接続部の近傍に設けられる。
【００１１】
この室外機では、暖房ユニットをヒートポンプユニットの側部に設けられた冷媒配管接続部の近傍に設けることによって、ヒートポンプユニットと暖房ユニットとを接続する冷媒配管の長さが短くて済むことから、接続作業が行いやすく、見栄えが良い。
【００１２】
第４の発明に係る室外機は、第１〜第３のいずれかの発明に係る室外機において、前記暖房ユニットは、空気を吸い込む吸込口を覆わないように前記ヒートポンプユニットに取り付けられる。
【００１３】
この室外機では、暖房ユニットを、ヒートポンプユニットの吸込口を覆わないように配置することによって、ヒートポンプユニットの吸込口に吸い込まれる空気の流れを暖房ユニットで妨げることがない。
【００１４】
第５の発明に係る室外機は、第１〜第３のいずれかの発明に係る室外機において、前記ヒートポンプユニットは、仕切板によって機械室と空気室とに仕切られたケーシングを有しており、前記機械室には、圧縮機が設けられ、前記空気室には、室外ファンが設けられており、前記暖房ユニットは、前記ケーシングの前記機械室に対向した部分に取り付けられる。
【００１５】
この室外機では、暖房ユニットをヒートポンプユニットの機械室に対向した部分に取り付けることによって、暖房ユニットをヒートポンプに安定して取り付けることができる。
【００１６】
第６の発明に係る室外機は、第１〜第５のいずれかの発明に係る室外機において、前記暖房ユニットは、温調水を貯留するタンクと、前記ヒートポンプユニットから供給された冷媒で温調水を加熱するための水熱交換器と、温調水を暖房端末に供給するための循環ポンプとを、上下方向に並んだ状態で有している。
【００１７】
この室外機では、暖房ユニットにおいて、タンクと水熱交換器と循環ポンプとを上下方向に並んだ状態で配置することによって、暖房ユニットの幅を狭くできる。
【００１８】
第７の発明に係る室外機は、第６の発明に係る室外機において、前記暖房ユニットは、前記タンクと、前記水熱交換器と、前記循環ポンプとを、上から順に並んだ状態で有している。
【００１９】
この室外機では、暖房ユニットにおいて、タンクと水熱交換器と循環ポンプとを上から順に並んだ状態で配置することによって、タンクが最上位置に配置されることから、タンク内のエアーが放出されやすくなる。
【発明の効果】
【００２０】
以上の説明に述べたように、本発明によれば、以下の効果が得られる。
【００２１】
第１の発明では、ヒートポンプユニットが壁に対向するように配置される場合、ヒートポンプユニットにおいて、壁側に配置される背面側に暖房ユニットが設けられる。これにより、暖房ユニットがヒートポンプユニットと壁との間に配置されることから、暖房ユニットがヒートポンプユニットで隠れるとともに、ヒートポンプユニットの後方を通過した水配管がヒートポンプユニットで隠れる。したがって、見栄えが良い。また、壁においてヒートポンプユニットの後方を通過した水配管が暖房ユニットの水配管接続部に接続されることから、暖房ユニットと壁との間における水配管の露出量を少なくできる。よって、見栄えがさらに良い。
【００２２】
第２の発明では、ヒートポンプユニットが壁に対向するように配置される場合、ヒートポンプユニットは、室外ファンに対して吹き出し面と反対側に配置された吸い込み面が壁に対向するように配置され、暖房ユニットがヒートポンプユニットにおいて壁に対向する吸い込み面に設けられる。これにより、暖房ユニットがヒートポンプユニットと壁との間に配置されることから、暖房ユニットがヒートポンプユニットで隠れるとともに、ヒートポンプユニットの後方を通過した水配管がヒートポンプユニットで隠れる。したがって、見栄えが良い。また、暖房ユニットがヒートポンプユニットの上方に配置される形態と比較して、暖房ユニットと壁面との距離が短いため、暖房ユニットと壁面との間における水配管の露出量を少なくすることができる。よって、見栄えがさらに良くなる。
【００２３】
第３の発明では、暖房ユニットをヒートポンプユニットの側部に設けられた冷媒配管接続部の近傍に設けることによって、ヒートポンプユニットと暖房ユニットとを接続する冷媒配管の長さが短くて済むことから、接続作業が行いやすく、見栄えが良い。
【００２４】
第４の発明では、暖房ユニットを、ヒートポンプユニットの吸込口を覆わないように配置することによって、ヒートポンプユニットの吸込口に吸い込まれる空気の流れを暖房ユニットで妨げることがない。
【００２５】
第５の発明では、暖房ユニットをヒートポンプユニットの機械室に対向した面に取り付けることによって、暖房ユニットをヒートポンプに安定して取り付けることができる。
【００２６】
第６の発明では、暖房ユニットにおいて、タンクと水熱交換器と循環ポンプとを上下方向に並んだ状態で配置することによって、暖房ユニットの幅を狭くできる。
【００２７】
第７の発明では、暖房ユニットにおいて、タンクと、水熱交換器と、循環ポンプとを、上から順に並んだ状態で配置することによって、タンクが最上位置に配置される。したがって、タンク内のエアーが放出されやすくなる。
【図面の簡単な説明】
【００２８】
【図１】本発明の第１実施形態に係る室外機を備えた暖房装置の概略構成を示す回路図である。
【図２】室外機の設置状態を示す斜視図である。
【図３】図２のＩＩＩ‐ＩＩＩ線に沿った断面図である。
【図４】室外機の背面図である。
【図５】ヒートポンプユニットの内部の構成を示す図である。
【図６】本発明の第２実施形態に係る室外機の背面図である。
【発明を実施するための形態】
【００２９】
〔第１実施形態〕
以下、本発明の第１実施形態に係る室外機を備えた暖房装置について、図面を参照しつつ説明する。
【００３０】
最初に、本実施形態の室外機４を備えた暖房装置１００の全体構成について説明する。
【００３１】
<暖房装置１００の全体構成>
図１に示すように、暖房装置１００は、ヒートポンプユニット１と、暖房ユニット２と、４つの床暖房パネル（暖房端末）３とを備えている。床暖房パネル３は、家屋の床面に設置される。
【００３２】
図１，２に示すように、室外機４は、ヒートポンプユニット１と暖房ユニット２とにより構成されている。図２に示すように、ヒートポンプユニット１と暖房ユニット２は別体に構成されており、共に屋外に設置される。ヒートポンプユニット１は壁１１０から所定の間隔だけ離れた位置に設置されており、ヒートポンプユニット１と壁１１０との間に暖房ユニット２が配置されている。
【００３３】
図１に示すように、ヒートポンプユニット１と暖房ユニット２とは、２本の冷媒配管５ａ，５ｂを含む冷媒循環回路１０を介して接続されている。また、暖房ユニット２と４つの床暖房パネル３とは、８本の水配管６ａ、６ｂを含む温水循環回路２０（水循環回路）を介して接続されている。
【００３４】
ヒートポンプユニット１内の冷媒循環回路１０は、圧縮機１１と、室外熱交換器１２と、電動膨張弁１３と、四路切換弁１４とを有する。圧縮機１１の吸入側と四路切換弁１４との間にはアキュムレータ１５が設けられている。また、室外熱交換器１２の近傍には、室外ファン１６が設けられている。
【００３５】
暖房ユニット２内の冷媒循環回路１０は、水熱交換器（熱交換器）２１を有する。水熱交換器２１では、ヒートポンプユニット１から供給される高温冷媒によって温水が加熱される。
【００３６】
暖房ユニット２内の温水循環回路２０は、水熱交換器２１と、循環ポンプ２５と、貯留タンク２６と、循環ポンプ２５にヘッダ２２を介して接続された４本の分岐戻り管２４ａと、貯留タンク２６にヘッダ２３を介して接続された４本の分岐往き管２４ｂとを有する。循環ポンプ２５と、水熱交換器２１と、貯留タンク２６とは、ヘッダ２２とヘッダ２３との間にヘッダ２２側から順に設けられている。また、４本の分岐往き管２４ｂには、それぞれ熱動弁２７が介設されている。水熱交換器２１で加熱された温水は、温水循環回路２０を介して床暖房パネル３に供給される。循環ポンプ２５は、温調水を床暖房パネル３に供給するものである。貯留タンク２６には、温水が貯留される。
【００３７】
床暖房パネル３は、蛇行形状のパイプを有している。床暖房パネル３のパイプは、分岐戻り管２４ａと分岐往き管２４ｂとに水配管６ａ、６ｂを介して接続されている。
【００３８】
次に、図２〜６を用いて、室外機４の設置状態について説明する。
【００３９】
図３に示すように、暖房ユニット２は、ヒートポンプユニット１の背面６１（ヒートポンプユニット１において壁１１０側に配置される背面）にボルト８により固定されている。
【００４０】
上述したように、ヒートポンプユニット１と暖房ユニット２とは、２本の冷媒配管５ａ，５ｂによって接続されている。また、図１に示すように、暖房ユニット２と４つの床暖房パネル３とは、合計８本の水配管６ａ、６ｂによって接続されている。図２〜４では、８本の水配管６ａ、６ｂのうち、暖房ユニット２と１つの床暖房パネル３とを接続する２本の水配管６ａ、６ｂだけを示している。
【００４１】
図２，３に示すように、壁１１０においてヒートポンプユニット１の後方に対応した部分には、貫通孔１１０ａが形成されている。ここで、壁１１０においてヒートポンプユニット１の後方に対応した部分とは、壁１１０の前方に設けられたヒートポンプユニット１を正面からみたときに、ヒートポンプユニット１によって隠れる部分である。壁１１０に形成された貫通孔１１０ａには水配管６ａ、６ｂが挿通している。また、貫通孔１１０ａは、シール部材１２０により封止されている。
【００４２】
<ヒートポンプユニット> 
図２〜５に示すように、ヒートポンプユニット１は、略直方体状のケーシング５０を備えている。ケーシング５０は、天板５１と、フロントパネル５２と、側板５３ａ，５３ｂと、底板５４とを有する。図５に示すように、側板５３ａは略Ｌ字状に形成されており、側板５３ａの一部は、ヒートポンプユニット１の背面６１に配置され、後述する機械室７２の背面部に配置されている。図２，３に示すように、ヒートポンプユニット１は、背面６１が壁１１０に対向するように配置される。なお、図５には、ケーシング５０の内部を上方からみた図を示している。
【００４３】
ケーシング５０の内部において、上部の側板５３ａ側には電装品が設けられており、電装品の下方には、図５に示す仕切板７１が配置されている。図５に示すように、電装品の下方は、仕切板７１によって、機械室７２と空気室７３とに仕切られている。機械室７２は、側板５３ａ側に配置され、内部に圧縮機１１が配置されている。空気室７３は、側板５３ｂ側に配置され、内部に室外熱交換器１２及び室外ファン１６が配置されている。なお、図５には、電装品を省略して図示している。
【００４４】
図４，５に示すように、ヒートポンプユニット１の背面６１（吸い込み面）及び側面６２には、それぞれ、空気を吸い込む吸込口６１ａ，６２ａが設けられている。背面６１の吸込口６１ａは、側面６２の吸込口６２ａよりも大きく、図４に示すように、天板５１と側板５３ａ，５３ｂと底板５４とにより形成されている。また、図２，５に示すように、ヒートポンプユニット１の前面６３（吹き出し面）には、空気室７３を構成する部分に、空気を吹き出す吹出口６３ａが設けられている。吸込口６１ａ，６２ａ及び吹出口６３ａは、空気室７３に対応した部分に設けられている。ヒートポンプユニット１の前面６３（吹き出し面）と、背面６１（吸い込み面）とは、室外ファン１６に対して互いに反対側に配置されている。背面６１の吸込口６１ａ及び側面６２の吸込口６２ａから空気室７３の内部に吸い込まれた空気は室外ファン１６に供給され、空気室７３の内部において室外ファン１６により空気流が形成される。空気流は、前面６３の吹出口６３ａから空気室７３の外部へ吹き出される。
【００４５】
図２〜５に示すように、ヒートポンプユニット１の機械室７２側の側部において、ケーシング５０の側板５３ａには、冷媒配管５ａ，５ｂが接続される冷媒配管接続部５５ａ，５５ｂと、冷媒配管接続部５５ａ，５５ｂを覆うカバー部材５８とが設けられている。
【００４６】
<暖房ユニット>
図４，５に示すように、暖房ユニット２は、ヒートポンプユニット１の背面６１において、吸込口６１ａを覆わないようにケーシング５０の側板５３ａに取り付けられ、機械室７２に対向している。
【００４７】
図２〜４に示すように、暖房ユニット２は、長尺状の略直方体状のケーシング８０を有する。ケーシング８０の縦方向の長さは横方向の長さより長い。ケーシング８０の内部には、貯留タンク２６と、水熱交換器２１と、循環ポンプ２５とが、上から順に並んで配置されている。
【００４８】
図２〜４に示すように、ケーシング８０の側部には、冷媒配管５ａ，５ｂが接続される冷媒配管接続部８５ａ，８５ｂが設けられている。また、図３，４に示すように、ケーシング８０の底部には水配管６ａ，６ｂが接続される水配管接続部８６ａ，８６ｂが設けられている。図２，３に示すように、暖房ユニット２の冷媒配管接続部８５ａ，８５ｂから引き出された冷媒配管５ａ，５ｂは、ヒートポンプユニット１の冷媒配管接続部５５ａ，５５ｂに接続されている。また、暖房ユニット２の水配管接続部８６ａ，８６ｂから引き出された水配管６ａ，６ｂは、壁１１０の貫通孔１１０ａを挿通している。
【００４９】
図２〜５に示すように、暖房ユニット２は、冷媒配管接続部８５ａ，８５ｂがヒートポンプユニット１の冷媒配管接続部５５ａ，５５ｂの近傍に配置されるように、ヒートポンプユニット１の背面６１に設けられている。
【００５０】
以上のように、本実施形態の室外機４では、ヒートポンプユニット１が壁１１０に対向するように配置される場合、ヒートポンプユニット１は、室外ファン１６に対して前面６３（吹き出し面）と反対側に配置された背面６１（吸い込み面）が壁１１０に対向するように配置され、暖房ユニット２がヒートポンプユニット１において壁１１０に対向する背面６１（吸い込み面）側に設けられる。これにより、暖房ユニット２がヒートポンプユニット１と壁１１０との間に配置されることから、暖房ユニット２がヒートポンプユニット１で隠れるとともに、ヒートポンプユニット１の後方を通過した水配管６ａ，６ｂがヒートポンプユニット１で隠れる。したがって、見栄えが良い。また、壁１１０においてヒートポンプユニット１の後方を通過した水配管６ａ，６ｂが暖房ユニット２の水配管接続部８６ａ，８６ｂに接続されるとともに、暖房ユニット２がヒートポンプユニット１の上方に配置される形態と比較して、暖房ユニット２と壁１１０面との距離が短いことから、暖房ユニット２と壁１１０との間における水配管６ａ，６ｂの露出量を少なくできる。よって、見栄えがさらに良い。
【００５１】
また、本実施形態の室外機４では、暖房ユニット２をヒートポンプユニット１の側部に設けられた冷媒配管接続部５５ａ，５５ｂの近傍に設けることによって、ヒートポンプユニット１と暖房ユニット２とを接続する冷媒配管５ａ，５ｂの長さが短くて済むことから、接続作業が行いやすく、見栄えが良い。
【００５２】
さらに、本実施形態の室外機４では、暖房ユニット２を、ヒートポンプユニット１の背面６１に設けられた吸込口６１ａ及び側面６２に設けられた吸込口６２ａを覆わないように配置することによって、ヒートポンプユニット１の吸込口６１ａに吸い込まれる空気の流れを暖房ユニット２で妨げることがない。
【００５３】
加えて、本実施形態の室外機４では、暖房ユニット２をヒートポンプユニット１の機械室７２に対向した部分に取り付けることによって、暖房ユニット２をヒートポンプ１に安定して取り付けることができる。
【００５４】
また、本実施形態の室外機４では、暖房ユニット２において、貯留タンク２６と水熱交換器２１と循環ポンプ２５とを上下方向に並んだ状態で配置することによって、暖房ユニット２の幅を狭くできる。
【００５５】
さらに、本実施形態の室外機４では、暖房ユニット２において、貯留タンク２６と水熱交換器２１と循環ポンプ２５とを上から順に並んだ状態で配置することによって、貯留タンク２６が最上位置に配置されることから、貯留タンク２６内のエアーが放出されやすくなる。
【００５６】
〔第２実施形態〕
次に、本発明の第２実施形態について説明する。第２実施形態の室外機では、第１実施形態で、暖房ユニット２がヒートポンプユニット１の背面６１の吸込口６１ａを覆わないように配置されているのに対して、第２実施形態で、暖房ユニット２０２がヒートポンプユニット１の背面６１の吸込口６１ａの一部を覆うように配置されている点において、第１実施形態に係る室外機と異なっている。なお、その他の構成は、上記第１実施形態と同様であるため、同じ符号を用いて適宜その説明を省略する。
【００５７】
図５に示すように、室外機２０４は、ヒートポンプユニット１と暖房ユニット２０２とを有する。暖房ユニット２０２は、ヒートポンプユニット１の背面６１において、吸込口６１ａの一部を覆うように、ケーシング５０の側板５３ａに取り付けられている。暖房ユニット２０２は、機械室７２と空気室７３とに対向している。なお、図５には、機械室７２と空気室７３とを省略して図示している。
【００５８】
暖房ユニット２０２は、略直方体状のケーシング２８０を有する。ケーシング２８０の内部には、貯留タンク２６と水熱交換器２１とが左右方向に並んで配置されており、水熱交換器２１の下方に循環ポンプ２５が配置されている。ケーシング２８０の幅は、図４に示す第１実施形態の暖房ユニット２のケーシング８０の幅より大きい。
【００５９】
以上のように、本実施形態の室外機２０４では、第１実施形態の室外機４と同様に、ヒートポンプユニット１が壁１１０に対向するように配置される場合、暖房ユニット２０２がヒートポンプユニット１で隠れるとともに、ヒートポンプユニット１の後方を通過した水配管接続部８６ａ，８６ｂがヒートポンプユニット１で隠れることから、見栄えが良い。また、暖房ユニット２０２と壁１１０との間における水配管６ａ，６ｂの露出量を少なくできることから、見栄えがさらに良い。
【００６０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００６１】
例えば、上述の第１実施形態では、暖房ユニット２のケーシング８０内部に、貯留タンク２６、水熱交換器２１及び循環ポンプ２５が、上から順に並んで配置されている場合について説明し、上述の第２実施形態では、暖房ユニット２０２のケーシング２８０の内部に、貯留タンク２６及び水熱交換器２１が左右方向に並んで配置され、水熱交換器２１の下方に循環ポンプ２５が配置されている場合について説明したが、暖房ユニットのケーシングの内部において、貯留タンク２６、水熱交換器２１及び循環ポンプ２５の配置は変更可能なものである。例えば、暖房ユニットのケーシングの内部に、貯留タンク２６、循環ポンプ２５及び水熱交換器２１が、上から順に並んで配置されてもよい。
【００６２】
また、上述の第１実施形態及び第２実施形態では、暖房ユニット２，２０２において、水配管接続部８６ａ，８６ｂがケーシング８０，２８０の底部に設けられている場合について説明したが、水配管接続部８６ａ，８６ｂが設けられる位置は変更可能なものである。例えば、暖房ユニット２，２０２において、水配管接続部８６ａ，８６ｂがケーシング８０，２８０の背部又は側部に設けられていてもよい。
【産業上の利用可能性】
【００６３】
本発明を利用すれば、暖房ユニットから引き出される水配管の露出量を少なくできる。
【符号の説明】
【００６４】
１  ヒートポンプユニット
６１  背面（吸い込み面）
６３  前面（吹き出し面）
２，２０２  暖房ユニット
３  床暖房パネル（暖房端末）
４，２０４  室外機
５ａ，５ｂ  冷媒配管
６ａ，６ｂ  水配管
２１  水熱交換器   
２５  循環ポンプ
２６  貯留タンク（タンク）
５７  吸込口
５５ａ，５５ｂ，８５ａ，８５ｂ  冷媒配管接続部
１６  室外ファン
６３ａ  吹出口
６１ａ，６２ａ  吸込口
８６ａ，８６ｂ  水配管接続部
１１０  壁
１１０ａ  貫通孔
７１  仕切板
７２  機械室
７３  空気室
５０，８０，２８０  ケーシング
【図１】
2012172859.tif 000003
【図２】
2012172859.tif 000004
【図３】
2012172859.tif 000005
【図４】
2012172859.tif 000006
【図５】
2012172859.tif 000007
【図６】
2012172859.tif 000008